(57)【特許請求の範囲】
【請求項１】
親局が通信回線に接続されている複数の子局の監視データを収集し、上記監視データを中央監視装置に送信する監視システムにおいて、上記複数の子局のうち、既存の子局と交換された新規の子局と通信仕様が一致しており、上記新規の子局の監視データを収集する新規子局データ収集手段と、上記既存の子局と通信仕様が一致している既存の親局及び上記新規子局データ収集手段を交互に上記通信回線に接続する接続対象切替手段と、上記既存の親局により収集された既存の子局の監視データと上記新規子局データ収集手段により収集された新規の子局の監視データを集約して、既存及び新規の子局の監視データを上記中央監視装置に送信する監視データ送信手段とを備えた新規の親局を設けたことを特徴とする監視システム。
【請求項２】
接続対象切替手段は、通信回線に接続されている新規の子局を管理し、上記新規の子局の台数に応じて上記通信回線に対する新規子局データ収集手段の接続時間を設定するとともに、上記新規子局データ収集手段の接続時間と既存の親局のポーリング周期から、上記通信回線に対する新規子局データ収集手段の接続周期を設定することを特徴とする請求項１記載の監視システム。
【請求項３】
接続対象切替手段は、通信回線に接続されている既存の子局から新規の子局への変更及び新規の子局の追加を受け付けるインタフェースを備えていることを特徴とする請求項１または請求項２記載の監視システム。
【請求項４】
通信回線に接続されている複数の子局のうち、既存の子局と交換された新規の子局と通信仕様が一致しており、上記新規の子局の監視データを収集する新規子局データ収集手段と、上記既存の子局と通信仕様が一致している既存の親局及び上記新規子局データ収集手段を交互に上記通信回線に接続する接続対象切替手段と、上記既存の親局により収集された既存の子局の監視データと上記新規子局データ収集手段により収集された新規の子局の監視データを集約して、既存及び新規の子局の監視データを上記中央監視装置に送信する監視データ送信手段とを備えた親局。
【発明の詳細な説明】
【技術分野】
【０００１】
この発明は、通信仕様が異なる既存の子局及び新規の子局の監視データを収集する監視システム及び親局に関するものであり、例えば、列車無線システムにおける基地局と中継機間の監視システムに利用可能である。
【背景技術】
【０００２】
図６は従来の監視システムを示す構成図である。
図６の例では、Ｎ台の子局ｎ（ｎ＝１，２，３，・・・，Ｎ）が通信回線にマルチドロップ接続されており、１台の親局が、Ｎ台の子局ｎの監視データを収集するようにしている。
Ｎ台の子局ｎは全て同一回路で構成されており、親局に対する通信仕様も全て同一である。
親局は、Ｎ台の子局ｎの監視データを収集すると、Ｎ台の子局ｎの監視データを中央監視装置に送信する。
【０００３】
図７は中央監視装置、親局及び子局間のやり取りを示すシーケンス図である。
親局は、Ｎ台の子局ｎから監視データを収集するため、ポーリング信号を順番に子局１，２，３，・・・，Ｎに送信する。Ｎ台の子局ｎに対する親局のポーリング信号の送信は、ポーリング周期Ｔで繰り返し実施している。
子局１，２，３，・・・，Ｎは、親局から送信されたポーリング信号を受信すると、その応答として、例えば、監視映像や監視音声などを示す監視データを親局に送信する。
親局は、子局１，２，３，・・・，Ｎから送信された監視データを受信すると、それらの監視データを集約し、中央監視装置から監視データの送信要求を受けると、集約した監視データを中央監視装置に送信する。
【０００４】
図６及び図７の監視システムでは、Ｎ台の子局ｎの通信仕様が親局の通信仕様と一致しているものを示しているが、既存の子局が新規の子局と交換され、新規の子局の通信仕様が既存の子局の通信仕様と異なる場合がある。
このように、通信仕様が異なる子局が混在していても、親局が全ての子局から監視データを収集することができるようにしている監視システムが以下の特許文献１に開示されている。
図８は以下の特許文献１に開示されている監視システムの処理内容を示すフローチャートである。
【０００５】
親局は、ポーリング信号をＮ台の子局ｎに順次送信する際、前回、ポーリング信号を送信しても、そのポーリング信号に対する応答信号を返信してきていない子局に対して、通信属性（通信仕様）を問い合わせる信号を送信する（ステップＳＴ３０１）。ただし、Ｎ台の子局ｎは、通信属性の問い合わせに対する応答は可能になっている。
親局は、ポーリング信号に対する応答信号を返信してきていない子局から通信属性の問い合わせに対する応答を受信すると、その子局の通信属性が、他の子局（ポーリング信号に対する応答信号を返信してきている子局）の通信属性と一致しているか否かを判定する（ステップＳＴ３０２）。
【０００６】
親局は、通信属性が一致している場合、ポーリング信号に対する応答信号を返信してきていない子局についても、他の子局と同様に、ポーリング信号を送信して、そのポーリング信号に対する応答信号を受信する通信処理を継続する（ステップＳＴ３０３）。
親局は、通信属性が一致していない場合、Ｎ台の子局ｎと通信可能な最適通信属性を探索し（ステップＳＴ３０４）、その最適通信属性をＮ台の子局ｎに通知する。
Ｎ台の子局ｎは、親局から最適通信属性の通知を受けると、自己の通信属性を当該最適通信属性に設定する（ステップＳＴ３０５）。
以降、親局は、最適通信属性でポーリング信号をＮ台の子局ｎに送信する。
【０００７】
【特許文献１】特開平６−３３４６６７号公報（段落番号［０００６］から［０００８］、図１）
【発明の開示】
【発明が解決しようとする課題】
【０００８】
従来の監視システムは以上のように構成されているので、子局が親局の要求に応じて通信属性を通知する属性通知機能や、自己の通信属性を最適通信属性に設定する属性設定機能などを実装していれば、通信属性が異なる子局が混在していても、子局の通信属性を統一して、全ての子局から監視データを収集することができる。しかし、子局が属性通知機能や属性設定機能などの特別な機能を実装していなければ、全ての子局から監視データを収集することができないなどの課題があった。
【０００９】
この発明は上記のような課題を解決するためになされたもので、子局が属性通知機能や属性設定機能などの特別な機能を実装していなくても、通信仕様が異なる全ての子局から監視データを収集することができる監視システム及び親局を得ることを目的とする。
【課題を解決するための手段】
【００１０】
この発明に係る監視システムは、複数の子局のうち、既存の子局と交換された新規の子局と通信仕様が一致しており、新規の子局の監視データを収集する新規子局データ収集手段と、既存の子局と通信仕様が一致している既存の親局及び新規子局データ収集手段を交互に通信回線に接続する接続対象切替手段と、既存の親局により収集された既存の子局の監視データと新規子局データ収集手段により収集された新規の子局の監視データを集約して、既存及び新規の子局の監視データを中央監視装置に送信する監視データ送信手段とを備えた新規の親局を設けるようにしたものである。
【発明の効果】
【００１１】
この発明によれば、複数の子局のうち、既存の子局と交換された新規の子局と通信仕様が一致しており、新規の子局の監視データを収集する新規子局データ収集手段と、既存の子局と通信仕様が一致している既存の親局及び新規子局データ収集手段を交互に通信回線に接続する接続対象切替手段と、既存の親局により収集された既存の子局の監視データと新規子局データ収集手段により収集された新規の子局の監視データを集約して、既存及び新規の子局の監視データを中央監視装置に送信する監視データ送信手段とを備えた新規の親局を設けるように構成したので、子局が属性通知機能や属性設定機能などの特別な機能を実装していなくても、通信仕様が異なる全ての子局から監視データを収集することができる効果がある。
【発明を実施するための最良の形態】
【００１２】
実施の形態１．
図１はこの発明の実施の形態１による監視システムを示す構成図である。
図１では、Ｎ台の子局ｎ（ｎ＝１，２，３，・・・，Ｎ）が通信回線にマルチドロップ接続されており、２台の親局（既存親局１１、新規親局１２）がＮ台の子局ｎの監視データを収集する例を示している。
また、Ｎ台の子局ｎのうち、特に、子局（１），子局（Ｎ）は既存子局１であり、子局（２）は新規子局２である例を示している。
ただし、既存親局１１及び新規親局１２の台数や、既存子局１及び新規子局２の台数は一例に過ぎない。
なお、既存親局１１は既存子局１と通信仕様が一致しており、通信が可能であるが、新規子局２と通信仕様が一致しておらず、通信が不可能である。
新規親局１２は新規子局２と通信仕様が一致しており、通信が可能であるが、既存子局１と通信仕様が一致しておらず、通信が不可能である。
【００１３】
新規親局１２の接続対象切替部２１は既存親局１１及び新規子局データ収集部２２を交互に通信回線に接続する処理を実施する。
新規子局データ収集部２２は新規子局２と通信仕様が一致しており、接続対象切替部２１により通信回線と接続されると、新規子局２の監視データを収集する処理を実施する。
なお、新規子局データ収集部２２は新規子局データ収集手段を構成している。
【００１４】
既存子局データ収集部２３は既存親局１１により収集された既存子局１の監視データを収集する処理を実施する。
子局監視データ集約部２４は新規子局データ収集部２２により収集された新規子局２の監視データと既存子局データ収集部２３により収集された既存子局１の監視データを集約して、既存子局１及び新規子局２の監視データを中央監視装置１３に送信する処理を実施する。
なお、既存子局データ収集部２３及び子局監視データ集約部２４から監視データ送信手段が構成されている。
【００１５】
子局情報設定部２５は通信回線に接続されている既存子局１と新規子局２の台数を管理し、その新規子局２の台数に応じて、通信回線に対する新規子局データ収集部２２の接続時間を設定するとともに、新規子局データ収集部２２の接続時間と既存親局１１のポーリング周期から、通信回線に対する新規子局データ収集部２２の接続周期を設定する処理を実施する。
なお、接続対象切替部２１及び子局情報設定部２５から接続対象切替手段が構成されている。
中央監視装置１３は新規親局１２から送信された既存子局１及び新規子局２の監視データを受信し、例えば、その監視データの解析や表示などを行う。
【００１６】
図２は子局監視データ集約部２４、新規子局データ収集部２２及び新規子局２間のやり取りを示すシーケンス図である。
図３は既存子局データ収集部２３、既存親局１１及び既存子局１・新規子局２間のやり取りを示すシーケンス図である。
図４は子局番号と種別の対応関係を示すテーブルの説明図である。
【００１７】
次に動作について説明する。
新規親局１２の子局情報設定部２５は、通信回線に接続されている既存子局１と新規子局２の台数を管理している。
即ち、子局情報設定部２５は、子局番号と種別の対応関係を示すテーブル（図４を参照）を実装しており、そのテーブルには、通信回線に接続されている子局を特定する子局番号と、その子局が既存子局１であるのか、新規子局２であるのかを識別する種別情報が記録されている。
【００１８】
したがって、子局情報設定部２５は、テーブルを参照することにより、通信回線に接続されている既存子局１と新規子局２の台数を把握することができる。
子局情報設定部２５は、通信回線に接続されている新規子局２の台数に応じて、通信回線に対する新規子局データ収集部２２の接続時間を設定する。
即ち、子局情報設定部２５は、新規子局データ収集部２２が、ある新規子局２に対してポーリング信号を送信してから、ある新規子局２より監視データが返信されてくるまでに要する時間が“ｔ”であるとすると、新規子局２の台数がＡ台であれば、通信回線に対する新規子局データ収集部２２の接続時間を“ｔ×Ａ”に設定する。
【００１９】
子局情報設定部２５は、通信回線に対する新規子局データ収集部２２の接続時間ｔ×Ａを設定すると、図２に示すように、通信回線に対する新規子局データ収集部２２の接続周期Ｔｓ（新規子局１２のポーリング周期）が、通信回線に対する新規子局データ収集部２２の接続時間ｔ×Ａと、既存親局１１のポーリング期間Ｔ（ポーリング周期）との合計時間以上になるように、通信回線に対する新規子局データ収集部２２の接続周期Ｔｓを設定する。
Ｔｓ≧Ｔ＋ｔ×Ａ
【００２０】
新規親局１２の接続対象切替部２１は、子局情報設定部２５が通信回線に対する新規子局データ収集部２２の接続時間ｔ×Ａと、通信回線に対する新規子局データ収集部２２の接続周期Ｔｓを設定すると、図２に示すように、新規子局データ収集部２２を接続時間ｔ×Ａだけ通信回線に接続した後、既存親局１１を接続時間Ｔ（既存親局１１のポーリング期間Ｔ）だけ通信回線に接続する。
接続対象切替部２１は、新規子局データ収集部２２と既存親局１１を交互に通信回線に接続するが、通信回線に対する新規子局データ収集部２２の接続周期が“Ｔｓ”であるため、接続周期Ｔｓ毎に、新規子局データ収集部２２を通信回線に接続する。
【００２１】
なお、通信回線に対する新規子局データ収集部２２の接続周期Ｔｓが、通信回線に対する新規子局データ収集部２２の接続時間ｔ×Ａと、既存親局１１のポーリング期間Ｔ（ポーリング周期）との合計時間以上になるように、子局情報設定部２５が通信回線に対する新規子局データ収集部２２の接続周期Ｔｓを設定しているので、既存親局１１は、必ず全ての既存子局１を１周期分ポーリングすることが可能である。
接続対象切替部２１の切り替えタイミングについては、既存親局１１のポーリングタイミングとは無関係である。
【００２２】
ここでは、子局情報設定部２５が通信回線に対する新規子局データ収集部２２の接続周期Ｔｓ等を設定するものについて示したが、子局情報設定部２５では、通信回線に接続されている新規子局２の台数を接続対象切替部２１に通知するだけにして、接続対象切替部２１が子局情報設定部２５から通知された新規子局２の台数に応じて、通信回線に対する新規子局データ収集部２２の接続周期Ｔｓや、通信回線に対する新規子局データ収集部２２の接続周期Ｔｓを設定するようにしてもよい。
【００２３】
新規親局１２の新規子局データ収集部２２は、予め、子局情報設定部２５からどの子局が新規子局２であるかの通知を受けており、接続対象切替部２１によって通信回線に接続されると、図２に示すように、ポーリング信号を新規子局２に順次送信することにより、新規子局２の監視データを収集する。
即ち、新規子局データ収集部２２の通信仕様は、新規子局２の通信仕様と一致しており、新規子局データ収集部２２と新規子局２は通信を行うことができるため、新規子局データ収集部２２がポーリング信号を新規子局２に送信すると、新規子局２がポーリング信号の応答として、監視データを新規子局データ収集部２２に送信する。
なお、新規子局データ収集部２２は、接続周期Ｔｓで、繰り返し新規子局２の監視データを収集する。
【００２４】
既存親局１１は、接続対象切替部２１の切り替えタイミングとは無関係に、図７と同様のポーリングシーケンスを繰り返している。
したがって、既存親局１１が接続対象切替部２１によって通信回線と接続されている期間中、ポーリング信号の送信処理を実施すれば、図３に示すように、既存子局１が既存親局１１から送信されたポーリング信号を受信することができるので、そのポーリング信号の応答として、既存子局１の監視データが既存親局１１に送信される。
ただし、新規子局２は、既存親局１１と通信仕様が異なっており、既存親局１１と通信を行うことができないので、既存親局１１から送信されたポーリング信号を受信することができず、そのポーリング信号の応答が既存親局１１に返されることはない。
この場合、既存親局１１は、当該新規子局２が通信障害発生中であるとみなすことになる。
【００２５】
また、既存親局１１が接続対象切替部２１によって通信回線と接続されていない期間中、ポーリング信号の送信処理を実施しても、そのポーリング信号が通信回線上に出力されず、通信回線に接続されているＮ台の子局（既存子局１、新規子局２）に伝送されないので、そのポーリング信号の応答が既存親局１１に返されることはない。
この場合、既存親局１１は、通信回線に接続されているＮ台の子局（既存子局１、新規子局２）が通信障害発生中であるとみなすことになる。
【００２６】
新規親局１２の既存子局データ収集部２３は、既存親局１１と同じ通信仕様であり、監視データの送信要求を既存親局１１に送信することにより、既存親局１１から既存子局１の監視データを収集する。
ただし、監視データの送信要求は、接続対象切替部２１によって新規子局データ収集部２２が通信回線と接続される前に既存親局１１に送信する。
これにより、既存子局データ収集部２３は、接続対象切替部２１によって既存親局１１が通信回線と接続されている間に、通信回線に接続されているＮ台の子局を１周期分ポーリングした後の既存子局１の監視データを収集することができる。このため、接続対象切替部２１による接続対象の切替に伴って発生する既存子局１の通信障害情報を既存親局１１から受け取ることが無くなる。
【００２７】
新規親局１２の子局監視データ集約部２４は、予め、子局情報設定部２５からどの子局が既存子局１であり、どの子局が新規子局２であるかの通知を受けており、既存子局１の監視データについては既存子局データ収集部２３から取得し、新規子局２の監視データについては新規子局データ収集部２２から取得して、既存子局１の監視データと新規子局２の監視データを集約する。
子局監視データ集約部２４は、中央監視装置１３と同じ通信仕様であり、中央監視装置１３から監視データの送信要求を受けると、集約した既存子局１及び新規子局２の監視データを中央監視装置１３に送信する。
中央監視装置１３は、新規親局１２から送信された既存子局１及び新規子局２の監視データを受信し、例えば、その監視データの解析や表示などを行う。
【００２８】
以上で明らかなように、この実施の形態１によれば、複数の子局のうち、既存子局１と交換された新規子局２と通信仕様が一致しており、新規子局２の監視データを収集する新規子局データ収集部２２と、既存子局１と通信仕様が一致している既存親局１１及び新規子局データ収集部２２を交互に通信回線に接続する接続対象切替部２１と、既存親局１１により収集された既存子局１の監視データと新規子局データ収集部２２により収集された新規子局２の監視データを集約して、既存子局１及び新規子局２の監視データを中央監視装置１３に送信する子局監視データ集約部２４とを備えた新規親局１２を設けるように構成したので、通信回線に接続されている子局が属性通知機能や属性設定機能などの特別な機能を実装していなくても、通信仕様が異なる全ての子局から監視データを収集することができる効果を奏する。
【００２９】
実施の形態２．
上記実施の形態１では、通信回線に接続されている既存子局１の一部が新規子局２に交換されているものについて示したが、全ての既存子局１が新規子局２に交換された場合、接続対象切替部２１は、通信回線の接続対象を新規子局データ収集部２２に固定することになる。
したがって、不要な接続対象の切替動作がなくなり、最適なポーリング周期でシステムの監視が可能となる。
この場合、通信回線に接続されているＮ台の新規子局２に対するポーリング周期Ｔｓはｔ×Ｎとなる。
【００３０】
実施の形態３．
上記実施の形態１，２では、子局情報設定部２５が通信回線に接続されている既存子局１と新規子局２の台数を管理しているものについて示したが、子局情報設定部２５が通信回線に接続されている既存子局１から新規子局２への変更や、新たな新規子局２の追加を受け付けるインタフェースを備えるようにしてもよい。
インタフェースは、例えば、キーボードやマウスなどのマンマシンインタフェースでもよいし、外部から新規子局２の変更や追加を示す情報を入力する外部入力インタフェースでもよい。
【００３１】
子局情報設定部２５は、例えば、不揮発メモリを実装しており、子局番号と種別の対応関係を示すテーブルを不揮発メモリに記録している。図５は子局番号と種別の対応関係を示すテーブルの説明図である。
子局情報設定部２５は、通信回線に接続されている既存子局１の一部が新規子局２に交換される際、どの既存子局１が新規子局２に交換されたかを示す情報を入力して、テーブルの内容を更新する。
図５の例では、通信回線に接続されているＮ台の既存子局１のうち、子局番号が“２”の子局が新規子局２に交換されて、その子局の種別が“新規”に変更されている。
【００３２】
また、子局情報設定部２５は、当初、Ｎ台の子局が通信回線に接続されている場合において、新たに新規子局２が通信回線に接続される際、どの子局が追加されたかを示す情報を入力して、テーブルの内容を更新する。
図５の例では、新たにＭ台の新規子局２が追加されて、Ｍ台の新規子局２の子局番号と種別が追加されている。
【００３３】
以上で明らかなように、この実施の形態３によれば、子局情報設定部２５が通信回線に接続されている既存子局１から新規子局２への変更及び新規子局２の追加を受け付けるインタフェースを備えるように構成したので、通信回線に接続されている既存子局１から新規子局２への変更や新規子局２の追加が行われても、簡単に対応することができる効果を奏する。
【図面の簡単な説明】
【００３４】
【図１】この発明の実施の形態１による監視システムを示す構成図である。
【図２】子局監視データ集約部２４、新規子局データ収集部２２及び新規子局２間のやり取りを示すシーケンス図である。
【図３】既存子局データ収集部２３、既存親局１１及び既存子局１・新規子局２間のやり取りを示すシーケンス図である。
【図４】子局番号と種別の対応関係を示すテーブルの説明図である。
【図５】子局番号と種別の対応関係を示すテーブルの説明図である。
【図６】従来の監視システムを示す構成図である。
【図７】中央監視装置、親局及び子局間のやり取りを示すシーケンス図である。
【図８】特許文献１に開示されている監視システムの処理内容を示すフローチャートである。
【符号の説明】
【００３５】
１  既存子局（既存の子局）、２  新規子局（新規の子局）、１１  既存親局（既存の親局）、１２  新規親局（新規の親局）、１３  中央監視装置、２１  接続対象切替部（接続対象切替手段）、２２  新規子局データ収集部（新規子局データ収集手段）、２３  既存子局データ収集部（監視データ送信手段）、２４  子局監視データ集約部（監視データ送信手段）、２５  子局情報設定部（接続対象切替手段）。
【図１】
0005072722.tif 000002
【図２】
0005072722.tif 000003
【図３】
0005072722.tif 000004
【図４】
0005072722.tif 000005
【図５】
0005072722.tif 000006
【図６】
0005072722.tif 000007
【図７】
0005072722.tif 000008
【図８】
0005072722.tif 000009